【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
少なくとも一つの画像オブジェクトをイメージと合成する方法であって、当該オブジェクト及び当該イメージは、関連する色及び不透明度成分値を有し、  当該方法は、  関連する不透明度成分値を有する少なくとも一つの不透明度チャネルを生成し、  前記少なくとも一つのオブジェクトの色及び不透明度成分値を前記イメージの色及び不透明度成分値と合成し、  前記少なくとも一つのオブジェクトの不透明度成分値を、前記少なくとも一つの不透明度チャネルの不透明度成分値と合成することで、変更した不透明度チャネルを生成し、当該合成及び当該生成によって、当該変更した不透明度チャネルが、前記少なくとも一つのオブジェクトの色及び不透明度成分との合成後に、前記イメージ中に残る前記イメージと関連する不透明度成分値を表すことを特徴とする方法。
【請求項２】
更に、前記変更した不透明度チャネルを使用して、前記少なくとも一つのオブジェクトの色及び不透明度成分値との合成後に、前記イメージ中に残る前記イメージの色及び不透明度成分値を除去することを特徴とする請求項１に記載の方法。
【請求項３】
更に、前記変更した不透明度チャネルを使用して、前記少なくとも一つのオブジェクトの色及び不透明度成分値を、前記イメージの色及び不透明度成分値と合成することを特徴とする請求項２に記載の方法。
【請求項４】
前記少なくとも一つのオブジェクトが、グループ化した複数のオブジェクトの中の一つであることを特徴とする請求項１乃至３の何れか１項に記載の方法。
【請求項５】
更に、前記グループ化した複数のオブジェクトに対して、グループに対する効果を適用することを特徴とする請求項４に記載の方法。
【請求項６】
更に、前記グループ化した複数のオブジェクトの各オブジェクトの色及び不透明度成分値を、前記イメージの色及び不透明度成分値と合成することを特徴とする請求項４に記載の方法。
【請求項７】
更に、前記変更した不透明度チャネルの不透明度値を反転することを特徴とする請求項１乃至６の何れか１項に記載の方法。
【請求項８】
更に、前記イメージをコピーして、コピーのイメージを生成することを特徴とする請求項１乃至７の何れか１項に記載の方法。
【請求項９】
更に、前記少なくとも一つのオブジェクトの色及び不透明度成分値を、前記コピーのイメージの色及び不透明度成分値と合成することを特徴とする請求項８に記載の方法。
【請求項１０】
前記変更した不透明度チャネルは、前記少なくとも一つのオブジェクトの色及び不透明度成分値を、前記コピーのイメージの色及び不透明度成分値と合成した後に、前記コピーのイメージ中に残る前記コピーのイメージと関連する不透明度成分値を表すことを特徴とする請求項９に記載の方法。
【請求項１１】
更に、前記変更した不透明度チャネルを使用して、前記少なくとも一つのオブジェクトの色及び不透明度成分値を、前記コピーのイメージの色及び不透明度成分値と合成した後に、前記コピーのイメージ中に残る前記コピーのイメージの色及び不透明度成分値を除去することを特徴とする請求項９に記載の方法。
【請求項１２】
更に、前記変更した不透明度チャネルを使用して、前記少なくとも一つのオブジェクトの色及び不透明度成分値を、前記イメージの色及び不透明度成分値と合成することを特徴とする請求項１１に記載の方法。
【請求項１３】
前記オブジェクトの関連する色及び不透明度成分値をイメージファイルから入手することを特徴とする請求項１乃至１２の何れか１項に記載の方法。
【請求項１４】
前記イメージの関連する色及び不透明度成分値をイメージファイルから入手することを特徴とする請求項１乃至１２の何れか１項に記載の方法。
【請求項１５】
少なくとも一つの画像オブジェクトをイメージと合成する方法であって、当該オブジェクト及び当該イメージは、関連する色及び不透明度成分値を有し、  当該方法は、  関連する不透明度成分値を有する少なくとも一つの不透明度チャネルを生成し、  前記少なくとも一つのオブジェクトの色及び不透明度成分値を前記イメージの色及び不透明度成分値と合成し、  前記少なくとも一つのオブジェクトの不透明度成分値を、前記少なくとも一つの不透明度チャネルの不透明度成分値と合成することで、変更した不透明度チャネルを生成し、  当該変更した不透明度チャネルを使用して、前記少なくとも一つのオブジェクトの色及び不透明度成分値との合成後に、前記イメージ中に残る前記イメージの色及び不透明度成分値を除去することを特徴とする方法。
【請求項１６】
前記変更した不透明度チャネルを使用して、前記少なくとも一つのオブジェクトの色及び不透明度成分値を、前記イメージの色及び不透明度成分値と合成することを特徴とする請求項１５に記載の方法。
【請求項１７】
前記少なくとも一つのオブジェクトが、グループ化した複数のオブジェクトの中の一つであることを特徴とする請求項１５又は１６に記載の方法。
【請求項１８】
グループ化した複数の画像オブジェクトをイメージと合成する方法であって、それぞれのオブジェクト及びイメージは、関連する色及び不透明度成分値を有し、  当該方法は、  関連する不透明度成分値を有する少なくとも一つの不透明度チャネルを生成し、  前記各オブジェクトの色及び不透明度成分値を、前記イメージの色及び不透明度成分値と合成し、  前記各オブジェクトの不透明度成分値を、前記少なくとも一つの不透明度チャネルの不透明度成分値と合成することで、変更した不透明度チャネルを生成し、  当該変更した不透明度チャネルを使用して、前記各オブジェクトの色及び不透明度成分値との合成後に、前記イメージ中に残る前記イメージの色及び不透明度成分値を除去することを特徴とする方法。
【請求項１９】
更に、前記イメージをコピーして、コピーのイメージを生成することを特徴とする請求項１８に記載の方法。
【請求項２０】
更に、前記グループ化した複数のオブジェクトのそれぞれの色及び不透明度成分値を、前記コピーのイメージの色及び不透明度成分値と合成することを特徴とする請求項１９に記載の方法。
【請求項２１】
少なくとも一つの画像オブジェクトをイメージと合成する装置であって、当該オブジェクト及び当該イメージは、関連する色及び不透明度成分値を有し、  当該装置は、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成し、当該合成及び当該生成によって、当該変更した不透明度チャネルが、前記少なくとも一つのオブジェクトの色及び不透明度成分との合成後に、前記イメージ中に残る前記イメージと関連する不透明度成分値を表すこととなる手段と  を備えることを特徴とする装置。
【請求項２２】
少なくとも一つの画像オブジェクトをイメージと合成する装置であって、当該オブジェクト及び当該イメージは、関連する色及び不透明度成分値を有し、  当該装置は、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成し、当該変更した不透明度チャネルを使用して、前記少なくとも一つのオブジェクトの色及び不透明度成分値との合成後に、前記イメージ中に残る前記イメージの色及び不透明度成分値を除去する手段と  を備えることを特徴とする装置。
【請求項２３】
グループ化した複数の画像オブジェクトをイメージと合成する装置であって、当該各オブジェクト及びイメージは、関連する色及び不透明度成分値を有し、  当該装置は、  関連する不透明度成分値を有する少なくとも一つの不透明度チャネルを生成する手段と、  前記各オブジェクトの色及び不透明度成分値を、前記イメージの色及び不透明度成分値と合成する手段と、  前記各オブジェクトの不透明度成分値を、前記少なくとも一つの不透明度チャネルの不透明度成分値と合成することで、変更した不透明度チャネルを生成し、当該変更した不透明度チャネルを使用して、前記各オブジェクトの色及び不透明度成分値との合成後に、前記イメージ中に残る前記イメージの色及び不透明度成分値を除去する手段と  を備えることを特徴とする装置。
【請求項２４】
少なくとも一つの画像オブジェクトをイメージと合成する装置であって、当該オブジェクト及び当該イメージは、関連する色及び不透明度成分値を有し、  当該装置は、  プログラムを記憶するためのメモリと、  前記プログラムを実行するためのプロセッサとを備え、  前記プログラムは前記装置を、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成し、そうすることによって、当該変更した不透明度チャネルが、前記少なくとも一つのオブジェクトの色及び不透明度成分との合成後に、前記イメージ中に残る前記イメージと関連する不透明度成分値を表すこととなる手段と  して機能させることを特徴とする装置。
【請求項２５】
少なくとも一つの画像オブジェクトをイメージと合成する装置であって、当該オブジェクト及び当該イメージは、関連する色及び不透明度成分値を有し、  当該装置は、  プログラムを記憶するためのメモリと、  当該プログラムを実行するためのプロセッサとを備え、  前記プログラムは前記装置を、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成する手段と、  前記変更した不透明度チャネルを使用して、前記少なくとも一つのオブジェクトの色及び不透明度成分値との合成後に、前記イメージ中に残る前記イメージの色及び不透明度成分値を除去する手段と  して機能させることを特徴とする装置。
【請求項２６】
グループ化した複数の画像オブジェクトをイメージと合成する装置であって、当該それぞれのオブジェクト及びイメージは、関連する色及び不透明度成分値を有し、  当該装置は、  プログラムを記憶するためのメモリと、  前記プログラムを実行するためのプロセッサとを備え、  前記プログラムは前記装置を、  関連する不透明度成分値を有する少なくとも一つの不透明度チャネルを生成する手段と、  前記各オブジェクトの色及び不透明度成分値を、前記イメージの色及び不透明度成分値と合成する手段と、  前記各オブジェクトの不透明度成分値を、前記少なくとも一つの不透明度チャネルの不透明度成分値と合成することで、変更した不透明度チャネルを生成する手段と、  前記変更した不透明度チャネルを使用して、前記各オブジェクトの色及び不透明度成分値との合成後に、前記イメージ中に残る前記イメージの色及び不透明度成分値を除去する手段と  して機能させることを特徴とする装置。
【請求項２７】
少なくとも一つの画像オブジェクトをイメージと合成する処理をコンピュータに実行させるためのコンピュータプログラムであって、当該オブジェクト及び当該イメージは、関連する色及び不透明度成分値を有し、  当該プログラムは前記コンピュータを、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成して、変更した不透明度チャネルを生成し、当該合成及び当該生成によって、当該変更した不透明度チャネルが、前記少なくとも一つのオブジェクトの色及び不透明度成分との合成後に、前記イメージ中に残る前記イメージと関連する不透明度成分値を表すこととなる手段と  して機能させることを特徴とするコンピュータプログラム。
【請求項２８】
少なくとも一つの画像オブジェクトをイメージと合成する処理をコンピュータに実行させるためのコンピュータプログラムであって、当該オブジェクト及び当該イメージは、関連する色及び不透明度成分値を有し、  当該プログラムは前記コンピュータを、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を前記少なくとも一つの不透明度チャネルの不透明度成分値と合成することで、変更した不透明度チャネルを生成する手段と、  前記変更した不透明度チャネルを使用して、前記少なくとも一つのオブジェクトの色及び不透明度成分値との合成後に、前記イメージ中に残る前記イメージの色及び不透明度成分値を除去する手段と  して機能させることを特徴とするコンピュータプログラム。
【請求項２９】
グループ化した複数の画像オブジェクトをイメージと合成する処理をコンピュータに実行させるためのコンピュータプログラムであって、当該それぞれのオブジェクト及びイメージは、関連する色及び不透明度成分値を有し、  当該プログラムは前記コンピュータを、  関連する不透明度成分値を有する少なくとも一つの不透明度チャネルを生成する手段と、  前記各オブジェクトの色及び不透明度成分値を、前記イメージの色及び不透明度成分値と合成する手段と、  前記各オブジェクトの不透明度成分値を、前記少なくとも一つの不透明度チャネルの不透明度成分値と合成して、変更した不透明度チャネルを生成する手段と、  前記変更した不透明度チャネルを使用して、前記各オブジェクトの色及び不透明度成分値との合成後に、前記イメージ中に残る前記イメージの色及び不透明度成分値を除去する手段と  して機能させることを特徴とするコンピュータプログラム。
【請求項３０】
少なくとも一つの画像オブジェクトをイメージと合成する処理をコンピュータに実行させるためのコンピュータプログラムを記録したコンピュータ読み取り可能な記憶媒体であって、当該オブジェクト及び当該イメージは、関連する色及び不透明度成分値を有し、  前記コンピュータプログラムは前記コンピュータを、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成し、当該合成及び当該生成によって、当該変更した不透明度チャネルが、前記少なくとも一つのオブジェクトの色及び不透明度成分との合成後に、前記イメージ中に残る前記イメージと関連する不透明度成分値を表すこととなる手段と  して機能させることを特徴とするコンピュータ読み取り可能な記憶媒体。
【請求項３１】
少なくとも一つの画像オブジェクトをイメージと合成する処理をコンピュータに実行させるためのコンピュータプログラムを記録したコンピュータ読み取り可能な記憶媒体であって、当該オブジェクト及び当該イメージは、関連する色及び不透明度成分値を有し、  前記コンピュータプログラムは前記コンピュータを、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成する手段と、  前記変更した不透明度チャネルを使用して、前記少なくとも一つのオブジェクトの色及び不透明度成分値との合成後に、前記イメージ中に残る前記イメージの色及び不透明度成分値を除去する手段と  して機能させることを特徴とするコンピュータ読み取り可能な記憶媒体。
【請求項３２】
グループ化した複数の画像オブジェクトをイメージと合成する処理をコンピュータに実行させるためのコンピュータプログラムを記録したコンピュータ読み取り可能な記憶媒体であって、当該それぞれのオブジェクト及びイメージは、関連する色及び不透明度成分値を有し、  前記コンピュータプログラムは前記コンピュータを、  関連する不透明度成分値を有する少なくとも一つの不透明度チャネルを生成する手段と、  前記各オブジェクトの色及び不透明度成分値を、前記イメージの色及び不透明度成分値と合成する手段と、  前記各オブジェクトの不透明度成分値を、前記少なくとも一つの不透明度チャネルの不透明度成分値と合成することで、変更した不透明度チャネルを生成する手段と、  前記変更した不透明度チャネルを使用して、前記各オブジェクトの色及び不透明度成分値との合成後に、前記イメージ中に残る前記イメージの色及び不透明度成分値を除去する手段と  して機能させることを特徴とするコンピュータ読み取り可能な記憶媒体。
【手続補正２】
【補正対象書類名】明細書
【補正対象項目名】００１９
【補正方法】変更
【補正の内容】
【００１９】  この発明の一様態によれば、少なくとも一つの画像オブジェクトをイメージと合成する方法であって、当該オブジェクト及び当該イメージは、関連する色及び不透明度成分値を有し、  当該方法は、  関連する不透明度成分値を有する少なくとも一つの不透明度チャネルを生成し、  前記少なくとも一つのオブジェクトの色及び不透明度成分値を前記イメージの色及び不透明度成分値と合成し、  前記少なくとも一つのオブジェクトの不透明度成分値を、前記少なくとも一つの不透明度チャネルの不透明度成分値と合成することで、変更した不透明度チャネルを生成し、当該合成及び当該生成によって、当該変更した不透明度チャネルが、前記少なくとも一つのオブジェクトの色及び不透明度成分との合成後に、前記イメージ中に残る前記イメージと関連する不透明度成分値を表すことを特徴とする方法を提供する。
【手続補正３】
【補正対象書類名】明細書
【補正対象項目名】００２２
【補正方法】変更
【補正の内容】
【００２２】  この発明の更に別の様態によれば、少なくとも一つの画像オブジェクトをイメージと合成する装置であって、当該オブジェクト及び当該イメージは、関連する色及び不透明度成分値を有し、当該装置は、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成し、当該合成及び当該生成によって、当該変更した不透明度チャネルが、前記少なくとも一つのオブジェクトの色及び不透明度成分との合成後に、前記イメージ中に残る前記イメージと関連する不透明度成分値を表すこととなる手段と  を備えることを特徴とする装置を提供する。
【手続補正４】
【補正対象書類名】明細書
【補正対象項目名】００２５
【補正方法】変更
【補正の内容】
【００２５】  この発明の更に別の様態によれば、少なくとも一つの画像オブジェクトをイメージと合成する装置であって、当該オブジェクト及び当該イメージは、関連する色及び不透明度成分値を有し、当該装置は、  プログラムを記憶するためのメモリと、  前記プログラムを実行するためのプロセッサとを備え、  前記プログラムは前記装置を、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成し、そうすることによって、当該変更した不透明度チャネルが、前記少なくとも一つのオブジェクトの色及び不透明度成分との合成後に、前記イメージ中に残る前記イメージと関連する不透明度成分値を表すこととなる手段と  して機能させることを特徴とする装置を提供する。
【手続補正５】
【補正対象書類名】明細書
【補正対象項目名】００２６
【補正方法】変更
【補正の内容】
【００２６】  この発明の更に別の様態によれば、少なくとも一つの画像オブジェクトをイメージと合成する装置であって、当該オブジェクト及び当該イメージは、関連する色及び不透明度成分値を有し、当該装置は、  プログラムを記憶するためのメモリと、  当該プログラムを実行するためのプロセッサとを備え、  前記プログラムは前記装置を、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成する手段と、  前記変更した不透明度チャネルを使用して、前記少なくとも一つのオブジェクトの色及び不透明度成分値との合成後に、前記イメージ中に残る前記イメージの色及び不透明度成分値を除去する手段と  して機能させることを特徴とする装置を提供する。
【手続補正６】
【補正対象書類名】明細書
【補正対象項目名】００２７
【補正方法】変更
【補正の内容】
【００２７】  この発明の更に別の様態によれば、グループ化した複数の画像オブジェクトをイメージと合成する装置であって、当該それぞれのオブジェクト及びイメージは、関連する色及び不透明度成分値を有し、当該装置は、  プログラムを記憶するためのメモリと、  前記プログラムを実行するためのプロセッサとを備え、  前記プログラムは前記装置を、  関連する不透明度成分値を有する少なくとも一つの不透明度チャネルを生成する手段と、  前記各オブジェクトの色及び不透明度成分値を、前記イメージの色及び不透明度成分値と合成する手段と、  前記各オブジェクトの不透明度成分値を、前記少なくとも一つの不透明度チャネルの不透明度成分値と合成することで、変更した不透明度チャネルを生成する手段と、  前記変更した不透明度チャネルを使用して、前記各オブジェクトの色及び不透明度成分値との合成後に、前記イメージ中に残る前記イメージの色及び不透明度成分値を除去する手段と  して機能させることを特徴とする装置を提供する。
【手続補正７】
【補正対象書類名】明細書
【補正対象項目名】００２８
【補正方法】変更
【補正の内容】
【００２８】  この発明の更に別の様態によれば、少なくとも一つの画像オブジェクトをイメージと合成する処理をコンピュータに実行させるためのコンピュータプログラムであって、当該オブジェクト及び当該イメージは、関連する色及び不透明度成分値を有し、  当該プログラムは前記コンピュータを、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成して、変更した不透明度チャネルを生成し、当該合成及び当該生成によって、当該変更した不透明度チャネルが、前記少なくとも一つのオブジェクトの色及び不透明度成分との合成後に、前記イメージ中に残る前記イメージと関連する不透明度成分値を表すこととなる手段と  して機能させることを特徴とするコンピュータプログラムを提供する。
【手続補正８】
【補正対象書類名】明細書
【補正対象項目名】００２９
【補正方法】変更
【補正の内容】
【００２９】  この発明の更に別の様態によれば、少なくとも一つの画像オブジェクトをイメージと合成する処理をコンピュータに実行させるためのコンピュータプログラムであって、当該オブジェクト及び当該イメージは、関連する色及び不透明度成分値を有し、  当該プログラムは前記コンピュータを、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を前記少なくとも一つの不透明度チャネルの不透明度成分値と合成することで、変更した不透明度チャネルを生成する手段と、  前記変更した不透明度チャネルを使用して、前記少なくとも一つのオブジェクトの色及び不透明度成分値との合成後に、前記イメージ中に残る前記イメージの色及び不透明度成分値を除去する手段と  して機能させることを特徴とするコンピュータプログラムを提供する。
【手続補正９】
【補正対象書類名】明細書
【補正対象項目名】００３０
【補正方法】変更
【補正の内容】
【００３０】  この発明の更に別の様態によれば、グループ化した複数の画像オブジェクトをイメージと合成する処理をコンピュータに実行させるためのコンピュータプログラムであって、当該それぞれのオブジェクト及びイメージは、関連する色及び不透明度成分値を有し、  当該プログラムは前記コンピュータを、  関連する不透明度成分値を有する少なくとも一つの不透明度チャネルを生成する手段と、  前記各オブジェクトの色及び不透明度成分値を、前記イメージの色及び不透明度成分値と合成する手段と、  前記各オブジェクトの不透明度成分値を、前記少なくとも一つの不透明度チャネルの不透明度成分値と合成して、変更した不透明度チャネルを生成する手段と、  前記変更した不透明度チャネルを使用して、前記各オブジェクトの色及び不透明度成分値との合成後に、前記イメージ中に残る前記イメージの色及び不透明度成分値を除去する手段と  して機能させることを特徴とするコンピュータプログラムを提供する。
【手続補正１０】
【補正対象書類名】明細書
【補正対象項目名】００３１
【補正方法】変更
【補正の内容】
【００３１】  この発明の更に別の様態によれば、少なくとも一つの画像オブジェクトをイメージと合成する処理をコンピュータに実行させるためのコンピュータプログラムを記録したコンピュータ読み取り可能な記憶媒体であって、当該オブジェクト及び当該イメージは、関連する色及び不透明度成分値を有し、  前記コンピュータプログラムは前記コンピュータを、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成し、当該合成及び当該生成によって、当該変更した不透明度チャネルが、前記少なくとも一つのオブジェクトの色及び不透明度成分との合成後に、前記イメージ中に残る前記イメージと関連する不透明度成分値を表すこととなる手段と  して機能させることを特徴とするコンピュータ読み取り可能な記憶媒体を提供する。
【手続補正１１】
【補正対象書類名】明細書
【補正対象項目名】００３２
【補正方法】変更
【補正の内容】
【００３２】  この発明の更に別の様態によれば、少なくとも一つの画像オブジェクトをイメージと合成する処理をコンピュータに実行させるためのコンピュータプログラムを記録したコンピュータ読み取り可能な記憶媒体であって、当該オブジェクト及び当該イメージは、関連する色及び不透明度成分値を有し、  前記コンピュータプログラムは前記コンピュータを、  関連する不透明度成分値を有する少なくとも一つの不透明度チャネルを生成する手段と、  前記少なくとも一つのオブジェクトの色及び不透明度成分値を、前記イメージの色及び不透明度成分値と合成する手段と、  前記少なくとも一つのオブジェクトの不透明度成分値を、前記少なくとも一つの不透明度チャネルの不透明度成分値と合成することで、変更した不透明度チャネルを生成する手段と、  前記変更した不透明度チャネルを使用して、前記少なくとも一つのオブジェクトの色及び不透明度成分値との合成後に、前記イメージ中に残る前記イメージの色及び不透明度成分値を除去する手段と  して機能させることを特徴とするコンピュータ読み取り可能な記憶媒体を提供する。
【手続補正１２】
【補正対象書類名】明細書
【補正対象項目名】００３３
【補正方法】変更
【補正の内容】
【００３３】  この発明の更に別の様態によれば、グループ化した複数の画像オブジェクトをイメージと合成する処理をコンピュータに実行させるためのコンピュータプログラムを記録したコンピュータ読み取り可能な記憶媒体であって、当該それぞれのオブジェクト及びイメージは、関連する色及び不透明度成分値を有し、  前記コンピュータプログラムは前記コンピュータを、  関連する不透明度成分値を有する少なくとも一つの不透明度チャネルを生成する手段と、  前記各オブジェクトの色及び不透明度成分値を、前記イメージの色及び不透明度成分値と合成する手段と、  前記各オブジェクトの不透明度成分値を、前記少なくとも一つの不透明度チャネルの不透明度成分値と合成することで、変更した不透明度チャネルを生成する手段と、  前記変更した不透明度チャネルを使用して、前記各オブジェクトの色及び不透明度成分値との合成後に、前記イメージ中に残る前記イメージの色及び不透明度成分値を除去する手段と  して機能させることを特徴とするコンピュータ読み取り可能な記憶媒体を提供する。